(57)【特許請求の範囲】
【請求項１】
流量調整器ユニット（１）であって、
前記流量調整器ユニット（１）は、流体管路内に挿入可能な挿入ハウジング（２）を有し、前記挿入ハウジング（２）内に複数の通流路が設けられており、
前記通流路のうち、少なくとも１つの通流路内にそれぞれ１つの流量調整器（３，４，５）が配置されており、前記流量調整器（３，４，５）は、単位時間あたりに前記流量調整器（３，４，５）を通って流れる流体量を、圧力に依存しない所定の流量値に調整し、
前記通流路のうち、少なくとも１つの別の通流路内にそれぞれ１つの閉鎖弁（６）が設けられており、前記閉鎖弁（６）は、開放位置から、流入する流体の圧力下で戻し力に抗して閉鎖位置に移動可能であり、
少なくとも１つの前記流量調整器（３，４，５）は、弾性的な材料から成る環状の絞り体（８，９，１０）を有し、
少なくとも１つの前記閉鎖弁（６）は、弾性的な材料から成る環状の弁体（７）を有し、
前記絞り体（８，９，１０）および前記弁体（７）は、供給された流体の圧力下で変形させられて、前記少なくとも１つの流量調整器（３，４，５）が、調整間隙を狭め、前記少なくとも１つの閉鎖弁（６）が、少なくとも１つの弁開口（１１）を閉鎖するようになっており、
前記挿入ハウジング（２）内に複数の環状通路が設けられており、前記複数の環状通路は、
前記挿入ハウジング（２）のハウジング面を画定し、前記弁体（７）に対応して配置された第１の環状通路（１２）と、
前記第１の環状通路（１２）によって画定された前記ハウジング面に、それぞれ１つの前記絞り体（８，９，１０）に対応して配置された複数の第２の環状通路（１３，１４，１５）と、を有し、
一の前記第２の環状通路（１３，１４，１５）の中心点は、それぞれ別の前記第２の環状通路（１３，１４，１５）により画定されたハウジング面の外側に配置されており、
１つの共通の位置固定エレメント（１７）によって、前記弁体（７）は、前記第１の環状通路（１２）内に位置固定されており、前記絞り体（８，９，１０）は、第２の環状通路（１３，１４，１５）内に位置固定されており、
前記位置固定エレメント（１７）は、通流開口（２１）が中心に形成された環状の位置固定エレメントコア（１９）を有し、前記環状の位置固定エレメントコア（１９）の前記通流開口（２１）は、前記第２の環状通路（１３，１４，１５）のそれぞれに部分的に重なっていることを特徴とする、流量調整器ユニット。
【請求項２】
前記挿入ハウジング（２）は、スリーブ状に形成されていることを特徴とする、請求項１記載の流量調整器ユニット。
【請求項３】
前記挿入ハウジング（２）のスリーブ内部に、通流方向に対して横方向に向けられた、前記第１の環状通路（１２）および第２の環状通路（１３，１４，１５）を有する支持プレート（１６）が設けられていることを特徴とする、請求項１または２記載の流量調整器ユニット。
【請求項４】
前記支持プレート（１６）は、前記挿入ハウジング（２）内に一体に成形されていることを特徴とする、請求項３記載の流量調整器ユニット。
【請求項５】
前記共通の位置固定エレメント（１７）は、前記支持プレート（１６）の前方で流入側に配置されたハウジング部分領域においてハウジング内周面に保持されていることを特徴とする、請求項３又は４記載の流量調整器ユニット。
【請求項６】
前記共通の位置固定エレメント（１７）の外側寄りの周縁部は、前記支持プレート（１６）の前方に配置されたハウジング部分領域のハウジング内周面に設けられた保持溝（１８）内に保持されていることを特徴とする、請求項３から５までのいずれか１項記載の流量調整器ユニット。
【請求項７】
前記支持プレート（１６）は、少なくとも一方の端面、好ましくは、その流入側の端面に、突出したハンドリングピン（２２）を有することを特徴とする、請求項３から６までのいずれか１項記載の流量調整器ユニット。
【請求項８】
前記ハンドリングピン（２２）は、前記挿入ハウジング（２）のハウジング長手方向軸線に対してほぼ同軸に前記支持プレート（１６）において突出していることを特徴とする、請求項７記載の流量調整器ユニット。
【請求項９】
前記位置固定エレメント（１７）は、前記位置固定エレメントコア（１９）から半径方向外向きに、好ましくは３つの位置固定アーム（２０）が突出していることを特徴とする、請求項１から８までのいずれか１項記載の流量調整器ユニット。
【請求項１０】
前記第２の環状通路（１３，１４，１５）の前記中心点は、互いに三角形を成すように配置されていることを特徴とする、請求項１から９までのいずれか１項記載の流量調整器ユニット。
【請求項１１】
前記流量調整器（３，４，５）の前記絞り体（８，９，１０）は、それ自体と調整異形部（２７）との間に、それぞれ１つの制御間隙を画定しており、前記制御間隙の通流横断面が、通流時に生じる圧力差のもと変形させられる前記絞り体（８，９，１０）によって可変であることを特徴とする、請求項１から１０までのいずれか１項記載の流量調整器ユニット。
【請求項１２】
前記調整異形部（２７）は、対応して配置された前記第２の環状通路（１３，１４，１５）の内側寄りのかつ／または外側寄りの通路壁に設けられていることを特徴とする、請求項１１記載の流量調整器ユニット。
【請求項１３】
前記少なくとも１つの閉鎖弁（６）の前記第１の環状通路（１２）は、その通路底部の領域に、少なくとも１つの弁開口（１１）を有することを特徴とする、請求項１から１２までのいずれか１項記載の流量調整器ユニット。
【請求項１４】
前記弁体（７）は、前記開放位置から、前記弁体（７）のために使用された前記弾性的な材料の固有弾性の戻し力に抗して前記閉鎖位置に移動させられることを特徴とする、請求項１から１３までのいずれか１項記載の流量調整器ユニット。
【請求項１５】
前記少なくとも１つの閉鎖弁（６）の前記第１の環状通路（１２）は、内側寄りのかつ／または外側寄りの通路壁に異形部（２４）を有し、
前記流量調整器（３，４，５）の前記第２の環状通路（１３，１４，１５）は、それぞれ内側寄りのかつ／または外側寄りの通路壁に調整異形部（２７）を有することを特徴とする、請求項１から１４までのいずれか１項記載の流量調整器ユニット。
【請求項１６】
前記少なくとも１つの流量調整器（３，４，５）の前記調整異形部（２７）および／または前記少なくとも１つの閉鎖弁（６）の前記異形部（２４）は、対応して配置された前記第１の環状通路（１２）および第２の環状通路（１３，１４，１５）の前記通路壁に全周にわたって形成されていることを特徴とする、請求項１５記載の流量調整器ユニット。
【請求項１７】
前記少なくとも１つの流量調整器（３，４，５）の前記調整異形部（２７）および／または前記少なくとも１つの閉鎖弁（６）の前記異形部（２４）は、通流方向に向けられた、互いに交互に位置する凹部（２５）および凸部（２６）から形成されていることを特徴とする、請求項１５または１６記載の流量調整器ユニット。
【請求項１８】
前記凹部（２５）および／または前記凸部（２６）は、多角形の横断面輪郭または丸み付けられた横断面輪郭、好ましくは半円形の横断面輪郭を有することを特徴とする、請求項１７記載の流量調整器ユニット。
【発明の詳細な説明】
【技術分野】
【０００１】
本発明は、流量調整器ユニットであって、前記流量調整器ユニットは、流体管路内に挿入可能な挿入ハウジングを有し、前記挿入ハウジング内に複数の通流路が設けられており、前記通流路のうち、少なくとも１つの通流路内にそれぞれ１つの流量調整器が配置されており、前記流量調整器は、単位時間あたりに前記流量調整器を通って流れる流体量を、圧力に依存しない所定の流量値に調整し、前記通流路のうち、少なくとも１つの別の通流路内にそれぞれ１つの閉鎖弁が設けられており、前記閉鎖弁は、開放位置から、流入する流体の圧力下で戻し力に抗して閉鎖位置に移動可能であり、少なくとも１つの前記流量調整器および少なくとも１つの前記閉鎖弁は、弾性的な材料から成るそれぞれ１つの環状の絞り体もしくは弁体を有し、前記絞り体もしくは前記弁体は、流入する流体の圧力下で変形させられて、前記少なくとも１つの流量調整器が、調整間隙を狭め、前記少なくとも１つの閉鎖弁が、少なくとも１つの弁開口を閉鎖するようになっている、流量調整器ユニットに関する。
【０００２】
流量調整器ユニットは、すでに国際公開第２０１２／１５６００２号に基づき公知である。この公知の流量調整器ユニットは、流体管路内、特に給水管路内に挿入可能な挿入ハウジングを有している。公知の流量調整器ユニットのこの挿入ハウジング内には、２つの通流路が設けられている。両通流路は、互いに同軸に配置された環状通路によって形成される。一方の環状通路内には、流量調整器の、弾性的な材料から製造された環状の絞り体が挿入されているのに対して、他方の環状通路内には、閉鎖弁の、弾性変形可能な材料から製造された同じく環状の弁体が設けられている。絞り体は、それ自体と、調整異形部を有する通路壁との間に、制御間隙を画定している。この制御間隙の通流横断面は、通流時に生じる圧力差のもと変形させられる絞り体によって可変である。これに対して、閉鎖弁の弁体は、通流する媒体の圧力下で開放位置から戻し力に抗して、弁体が少なくとも１つの弁開口を閉鎖する閉鎖位置に移動させられる。一方で流量調整器および他方で閉鎖弁のために設けられた環状通路が、挿入ハウジング内に互いに同軸に設けられていて、環状通路および環状通路相互もハウジング横断面を画定しているので、公知の流量調整器ユニットでは、バリエーション可能性が制限されている。確かに、低い圧力の場合には当初まだ開いている閉鎖弁を介して、付加的な水量を流量調整器ユニットを通して導通させることができるが、しかしながら、公知の流量調整器ユニットの調整特性は、高い圧力の場合には、使用される流量調整器の調整特性に依存してしまう。
【０００３】
したがって、課題は、冒頭で述べた形態の流量調整器ユニットを改良して、流量調整器ユニットが極めて幅広い圧力範囲、つまり、低い圧力でも高い圧力でも働き、要求された流量を調整することができるようにすることである。
【０００４】
この課題の本発明による解決手段は、冒頭で述べた形態の流量調整器ユニットにおいて、特に、挿入ハウジング内に外側の第１の環状通路が設けられており、この第１の環状通路が、挿入ハウジングのハウジング面を画定しており、このハウジング面に少なくとも２つの内側寄りの環状通路が設けられており、これらの内側寄りの環状通路の中心点が、それぞれ別の内側寄りの環状通路により画定されたハウジング面の外側に配置されていることにある。
【０００５】
本発明に係る流量調整器ユニットは、流体管路内に挿入可能である挿入ハウジングを有している。流量調整器ユニットのこの挿入ハウジング内には、複数の通流路が設けられている。これらの通流路のうち、少なくとも１つの通流路内にそれぞれ１つの流量調整器が配置されている。この流量調整器は、単位時間あたりに流量調整器を通って流れる流体量を、要求された流量値に調整しなければならない。また、複数の通流路のうち、少なくとも１つの別の通流路内にそれぞれ１つの閉鎖弁が設けられている。この閉鎖弁は、開放位置から、流入する流体の圧力下で戻し力に抗して閉鎖位置に移動可能である。少なくとも１つの閉鎖弁がその開放位置にとどまる低い圧力の場合には、付加的な流体量が、閉鎖弁を介して本発明に係る流量調整器ユニットを通って流れることができる。これに比べて流体の圧力が増加するにつれ、閉鎖弁の弁体が閉鎖位置に移動させられ、これによって、流量調整器が本発明に係る流量調整器ユニットの流量を調整することができる。このとき、流量調整器は、流量の最大値をそれぞれ等しい値に規定することができるだけでなく、流量調整器が流量の最大値をそれぞれ異なる値に調整するように補填することもできる。本発明では、少なくとも１つの流量調整器および少なくとも１つの閉鎖弁が、弾性的な材料から成るそれぞれ１つの環状の絞り体もしくは弁体を有している。この絞り体もしくは弁体は、流入した流体の圧力下で変形させられて、少なくとも１つの流量調整器が、調整間隙を狭め、少なくとも１つの閉鎖弁が、少なくとも１つの弁開口を閉鎖するようになっている。このために、本発明に係る流量調整器ユニットの挿入ハウジング内には、外側の第１の環状通路が設けられている。この第１の環状通路は、閉鎖弁または複数の流量調整器のうちの１つの流量調整器に対応して配置することができる。外側の第１の環状通路は、挿入ハウジングのハウジング面を画定している。このハウジング面には、少なくとも２つの内側寄りの環状通路が設けられている。これらの内側寄りの環状通路の中心点は、それぞれ別の内側寄りの環状通路により画定されたハウジング面の外側に配置されている。互いに十分に独立して配置された環状通路によって、本発明に係る流量調整器ユニットを、低い圧力でも高い圧力でも機能適正に有利に使用可能となるように設計することができる。
【０００６】
本発明に係る流量調整器ユニットをサニタリ供給管路の従来の管路横断面内に簡単に挿入することができるようにするために、挿入ハウジングが、スリーブ状に形成されていると有利である。
【０００７】
一方で流量調整器および他方で少なくとも１つの閉鎖弁のために設けられた環状通路は、挿入ハウジングのスリーブ内部に、通流方向に対して横方向に向けられた、環状通路を有する支持プレートが設けられていると、本発明に係る流量調整器ユニットの挿入ハウジング内に特に簡単に加工することができる。
【０００８】
本発明に係る流量調整器ユニットの簡単な製造可能性をさらに付加的に促進しかつ可能な限り少ない構成部材から成る本発明に係る流量調整器ユニットを組み付けることができるようにするために、支持プレートが、挿入ハウジング内に一体に成形されていると有利である。
【０００９】
本発明による好適な実施の形態では、絞り体または弁体が、流入側のハウジング端面側から、支持プレートに位置する環状通路内に挿入されている。
【００１０】
ほんの数個の構成部材から成る本発明に係る流量調整器ユニットの製造可能性は、絞り体および弁体が、これらに対応して配置された環状通路内に１つの共通の位置固定エレメントによって位置固定されていると、さらに付加的に促進される。
【００１１】
好ましくは流入側のハウジング端面側から挿入ハウジングのハウジング内部に挿入された絞り体および弁体を挿入ハウジング内に位置固定することができるようにするために、共通の位置固定エレメントが、支持プレートの前方で流入側に配置されたハウジング部分領域のハウジング内周面に保持されていると有利である。
【００１２】
本発明による好適な実施の形態では、共通の位置固定エレメントの外側寄りの周縁部が、支持プレートの前方に配置されたハウジング部分領域のハウジング内周面に設けられた保持溝内に保持されている。
【００１３】
本発明による特に単純なかつ容易に製造可能な実施の形態では、位置固定エレメントが、位置固定エレメントコアを有しており、この位置固定エレメントコアから半径方向外向きに、好ましくは３つの位置固定アームが突出している。
【００１４】
位置固定エレメントが本発明に係る流量調整器ユニットに対する通流横断面を過度に狭めず、ひいては、流体が位置固定エレメントの傍らを通って、より多くの量でも挿入ハウジングのスリーブ内部に良好に流入することができるようにするために、位置固定エレメントが、その位置固定エレメントコアに中心の通流開口を有していると有利である。
【００１５】
本発明による好適な改良形態では、内側寄りの環状通路の中心点が、互いに三角形を成すように配置されている。内側寄りの環状通路の三角形の配置は、比較的小さな管路横断面でも、本発明に係る流量調整器ユニットのコンパクトな構造形態を促進する。
【００１６】
本発明に係る流量調整器ユニットを容易に取り扱うことができ、たとえばサニタリ供給管路内に挿入することができるかまたは組込み開口から引き出すこともできるようにするために、支持プレートが、少なくとも一方の端面、好ましくは、その流入側の端面に、突出したハンドリングピンを有していると有利である。本発明による好適な実施の形態では、このハンドリングピンが、挿入ハウジングのハウジング長手方向軸線に対してほぼ同軸に支持プレートにおいて突出している。
【００１７】
外側の第１の環状通路を、横断面が比較的大きな流量調整器に対応して配置することができる一方、これに対して、内側寄りの環状通路のうち、横断面が比較的大きな流量調整器に比べて小さな少なくとも２つの流量調整器と、内側寄りの残りの少なくとも１つの環状通路とは、１つの閉鎖弁のために使用される。これに対して、特に有利な実施の形態では、外側の第１の環状通路が、少なくとも１つの閉鎖弁に対応して配置されており、内側寄りの環状通路のうち、少なくとも２つの環状通路が、それぞれ１つの流量調整器に対応して配置されている一方、内側寄りの少なくとも１つの別の環状通路は、閉鎖弁のために役立つ。
【００１８】
本発明に係る流量調整器ユニットのコンパクトな構造形態は、流量調整器の調整体が、それ自体と調整異形部との間に制御間隙を画定しており、制御間隙の通流横断面が、通流時に生じる圧力差のもと変形させられる絞り体によって可変であると、さらに促進される。
【００１９】
調整異形部は、対応して配置された環状通路の内側寄りの周壁または通路壁と、付加的に、外側寄りの周壁または通路壁とに設けられていてもよいし、その代わりに、外側寄りの周壁または通路壁に設けられていてもよい。
【００２０】
本発明に係る流量調整器ユニットの好適な実施の形態では、少なくとも１つの閉鎖弁の環状通路が、その通路底部の領域に、少なくとも１つの弁開口を有している。
【００２１】
本発明に係る流量調整器ユニットの単純な機能・構造形態は、弁体が、開放位置から、弁体のために使用された弾性的な材料の固有弾性の戻し力に抗して閉鎖位置に移動させられると、さらに付加的に促進される。
【００２２】
保護に値する独特な意義の好適な改良形態では、少なくとも１つの閉鎖弁の環状通路が、内側寄りのかつ／または外側寄りの通路壁に異形部を有している。この改良形態では、環状通路の外側寄りの通路壁に設けられた異形部によって、閉鎖動作の間の閉鎖弁のより良好な制御可能性を達成することができ、閉鎖動作の間の煩わしい騒音ならびに振動を回避することができる。閉鎖弁に設けられた異形部によって、環状通路の全周にわたって、通流する水の一定の速度分布が形成されなくなり、異形部と、これにより生じる間隔とによって、均一な速度分布もしくは圧力分布の形成が妨げられる。これによって、煩わしい騒音ならび振動に結び付けられる望ましくない浮上りが回避される。
【００２３】
流量調整器ならびに閉鎖弁に対して所定の環状通路の通路壁に設けられた異形部は、通路壁に全周にわたって形成されていてもよい。
【００２４】
本発明による好適な実施の形態では、少なくとも１つの流量調整器の異形部および／または少なくとも１つの閉鎖弁の異形部が、通流方向に向けられた、互いに交互に位置する凹設部および凸部から形成されている。この実施の形態では、各凸部が、丸み付けられた横断面輪郭、好ましくは半円形の横断面輪郭を有していてもよい。これに対して、本発明による好適な実施の形態では、各凹設部が、好ましくは直接隣接し合う２つの凸部の間に配置された領域として形成されている。
【００２５】
本発明による改良形態は、明細書に関連した特許請求の範囲ならびに図面から明らかである。以下に、本発明を好適な実施例に基づきさらに詳細に説明する。
【図面の簡単な説明】
【００２６】
【図１】流量調整器ユニットの斜視図であり、この流量調整器ユニットがその挿入ハウジングで流体管路内に挿入可能であり、流量調整器ユニットがその挿入ハウジングに１つの外側寄りの環状溝を有しており、この環状溝がハウジング面を画定しており、このハウジング面に、図１では３つの別の内側寄りの環状溝が設けられており、これらの内側寄りの環状溝の中心点が、それぞれ別の内側寄りの環状溝により画定されたハウジング面の外側に配置されている。
【図２】図１に示した流量調整器ユニットを流入側から見た上面図である。
【図３】図２に示した切断平面ＩＩＩ−ＩＩＩによる図１および図２に示した流量調整器ユニットの縦断面図である。
【図４】図１〜図３に示した流量調整器ユニットを流出側から見た下面図である。
【図５】図１〜図４に示した流量調整器ユニットの個々の構成部材を互いに分解して示す斜視図である。
【００２７】
図１〜図５には、流量調整器ユニット１が示してある。この流量調整器ユニット１は、流体管路（図示せず）内に挿入可能である挿入ハウジング２を有している。流量調整器ユニット１のこの挿入ハウジング２内には、複数の通流路が設けられている。これらの通流路のうち、少なくとも１つの通流路内にそれぞれ１つの流量調整器３，４，５が配置されている。流量調整器ユニット１のこの流量調整器３，４，５は、単位時間あたりに流量調整器３，４，５を通って流れる流体量を、それぞれ圧力に依存しない所定の最大値に調整するようになっている。少なくとも１つの別の通流路内には、それぞれ１つの閉鎖弁６が設けられている。この閉鎖弁６は、開放位置から、流入する流体の圧力下で戻し力に抗して閉鎖位置に移動可能である。少なくとも１つの閉鎖弁６がその開放位置にとどまる低い圧力の場合には、付加的な流体量が、閉鎖弁６を介して流量調整器ユニット１を通って流れることができる。これに比べて流体の圧力が増加するにつれ、閉鎖弁６の弁体７が閉鎖位置に移動させられ、これによって、流量調整器３，４，５が流量調整器ユニット１の流量を調整することができる。このとき、流量調整器３，４，５は、流量の最大値をそれぞれ等しい値に規定することができるだけでなく、流量調整器３，４，５が流量の最大値をそれぞれ異なる値に調整するように補填することもできる。このために、流量調整器３，４，５は、種々異なる形態で形成された調整異形部および／または絞り体８，９，１０を有していてもよい。これらの調整異形部および／または絞り体８，９，１０は、使用される材料の弾性および／または横断面形状の弾性において相応に異なっている。流量調整器３，４，５および少なくとも１つの閉鎖弁６は、弾性的な材料から成るそれぞれ１つの環状の絞り体８，９，１０もしくは弁体７を有している。この絞り体８，９，１０もしくは弁体７は、流入した流体の圧力下で変形させられて、流量調整器３，４，５が、それぞれ１つの調整間隙を狭め、少なくとも１つの閉鎖弁６が、少なくとも１つの弁開口１１を閉鎖するようになっている。
【００２８】
このために、流量調整器ユニット１の挿入ハウジング２内には、外側寄りの第１の環状通路１２が設けられている。この第１の環状通路１２は、複数の流量調整器３，４，５のうちの１つの流量調整器または、本実施の形態のように、閉鎖弁６に対応して配置することができる。外側寄りの第１の環状通路１２は、挿入ハウジング２のハウジング面を画定している。このハウジング面には、少なくとも２つ、本実施の形態では３つの内側寄りの環状通路１３，１４，１５が設けられている。これらの内側寄りの環状通路１３，１４，１５の中心点は、それぞれ別の内側寄りの環状通路１３；１４；１５により画定されたハウジング面の外側に配置されている。したがって、内側寄りの環状通路１３，１４，１５同士が互いに同心に配置されてもいなければ、本実施の形態では付加的に、内側寄りの環状通路１３，１４，１５と外側の第１の環状通路１２も互いに同心に配置されていない。
【００２９】
互いに十分に独立して配置された環状通路１２，１３，１４，１５によって、流量調整器ユニット１を、極めて低い圧力でも高い圧力でも機能適正に有利に使用可能となるように設計することができる。図１、図２および図５から明確になるように、流量調整器ユニット１の挿入ハウジング２はスリーブ状に形成されている。この挿入ハウジング２のスリーブ内部には、通流方向に対して横方向に向けられた、環状通路１２，１３，１４，１５を有する支持プレート１６が設けられている。この支持プレート１６は、挿入ハウジング２内に挿入することができる。図示の実施例では、支持プレート１６が挿入ハウジング２内に一体に成形されていて、このために、支持プレート１６の流出側で複数の保持リブ２３によって支持される。これらの保持リブ２３は、一方で支持プレート１６に作用していて、他方でハウジング周壁に作用している。
【００３０】
弁体７または絞り体８，９，１０は、流入側のハウジング端面側から環状通路１２；１３，１４，１５内に挿入されている。弁体７および絞り体８，９，１０は、これらに対応して配置された環状通路１２，１３，１４，１５内に１つの共通の位置固定エレメント１７によって位置固定される。図１、図２および図５に特に良好に認めることができる位置固定エレメント１７は、支持プレート１６の前方で流入側に配置されたハウジング部分領域のハウジング内周面に保持されている。共通の位置固定エレメント１７は位置固定エレメントコア１９を有している。この位置固定エレメントコア１９から、本実施の形態では３つの位置固定アーム２０が外向きに突出している。位置固定エレメント１７の外側寄りの周縁部を成す、位置固定アーム２０の自由アーム端部は、支持プレート１６の前方に配置されたハウジング部分領域の内周面に配置された保持溝１８内に係合している。
【００３１】
流量調整器ユニット１の流入側に配置された位置固定エレメント１７が、流量調整器ユニット１を通る流体の通流を妨げて乱さないようにするために、位置固定エレメント１７はその位置固定エレメントコア１９に中心の通流開口２１を有している。図２、図４および図５に認めることができるように、内側寄りの環状通路１３，１４，１５の中心点は、互いに三角形を成すように配置されている。位置固定エレメント１７は、１つには、流量調整器３，４，５の環状通路１２；１３，１４，１５に重なっていて、もう１つには、閉鎖弁６に重なっており、これによって、環状通路１２；１３，１４，１５内に位置する弁体７および絞り体８，９，１０がそこに位置固定されている。
【００３２】
流量調整器ユニット１を良好に取り扱うことができ、たとえば、流体管路内に位置する挿入開口内に挿入することができるようにするために、支持プレート１６はその少なくとも一方の端面、好ましくは、本実施の形態のように、その流入側の端面に、突出したハンドリングピン２２を有している。このハンドリングピン２２は、挿入ハウジング２のハウジング長手方向軸線に対してほぼ同軸に、位置固定エレメント１７の中心の通流開口２１を貫いて、通流方向と逆方向で支持プレート１６において突出している。
【００３３】
流量調整器３，４，５の調整体または絞り体８，９，１０は、それ自体と調整異形部２７との間に制御間隙を画定している。この制御間隙の通流横断面は、通流時に生じる圧力差のもと変形させられる絞り体８，９，１０によって可変である。調整異形部２７は、対応して配置された環状通路１３，１４，１５の内側寄りの通路壁または周壁と、付加的に、外側寄りの通路壁または周壁とに設けられているかまたは、その代わりに、本実施の形態のように、外側寄りの通路壁または周壁に設けられている。
【００３４】
少なくとも１つの閉鎖弁６の外側の第１の環状通路１２はその溝底部の領域に少なくとも１つの弁開口１１を有している。流入する流体の流体圧が限界値を上回ると、閉鎖弁６の、環状通路１２内に設けられていて、同じく弾性的な材料から製造された弁体７が、開放位置から、弁体７のために使用された弾性的な材料の固有弾性の戻し力に抗して閉鎖位置に移動させられる。少なくとも１つの閉鎖弁６の環状通路１２は、内側寄りのかつ／または外側寄りの通路壁に異形部２４を有している。閉鎖弁６のこの異形部２４によって、閉鎖動作の間の閉鎖弁６の改善された制御可能性を達成することができ、また、煩わしい騒音ならびに振動をも阻止することができる。閉鎖弁６に設けられた異形部２４によって、通流する水の、全周にわたって一定の速度分布が有効に阻止される。なぜならば、異形部２４に基づき生じる間隔によって、通流する水の均一な速度分布もしくは圧力分布の形成が妨げられるからである。
【００３５】
特に有利には、少なくとも１つの閉鎖弁６の環状通路１２が、内側寄りのかつ／または外側寄りの通路壁に異形部２４を有している。本実施の形態では、環状通路１２の内側寄りの通路壁に設けられた異形部２４によって、閉鎖動作の間の閉鎖弁６のより良好な制御可能性を達成することができ、閉鎖動作の間の煩わしい騒音ならびに振動を回避することができる。閉鎖弁６に設けられた異形部２４によって、環状通路１２の全周にわたって、通流する水の一定の速度分布が形成されなくなり、異形部２４と、これにより生じる間隔とによって、均一な速度分布もしくは圧力分布の形成が妨げられる。これによって、煩わしい騒音ならびに振動に結び付けられる望ましくない浮上りが回避される。
【００３６】
流量調整器３，４，５ならびに閉鎖弁６に対して所定の環状通路１２，１３，１４，１５の通路壁に設けられた異形部は、通路壁に全周にわたって形成されていてもよい。
【００３７】
本発明による好適な実施の形態では、少なくとも１つの流量調整器３，４，５の調整異形部２７および少なくとも１つの閉鎖弁６の異形部２４が、通流方向に向けられた、互いに交互に位置する凹部２５および凸部２６から形成されている。この凹部２５と凸部２６とは、丸み付けられた横断面輪郭、好ましくは半円形の横断面輪郭を有していてもよい。これに対して、本発明による別の実施の形態（図示せず）では、各凹部２５が、好ましくは直接隣接し合う２つの凸部２６の間に配置された領域として形成されている。
【００３８】
たとえばサニタリ給水管路内に挿入可能である本発明に係る流量調整器ユニット１の特別な利点は、この流量調整器ユニット１が、極めて低い圧力でも極めて高い圧力でも、たとえば０．５〜約１２ｂａｒの範囲内の圧力で有利に使用可能となる点にある。
【符号の説明】
【００３９】
１  流量調整器ユニット
２  挿入ハウジング
３  流量調整器
４  流量調整器
５  流量調整器
６  閉鎖弁
７  弁体
８  絞り体
９  絞り体
１０  絞り体
１１  弁開口
１２  第１の環状通路
１３  内側寄りの環状通路
１４  内側寄りの環状通路
１５  内側寄りの環状通路
１６  支持プレート
１７  位置固定エレメント
１８  保持溝
１９  位置固定エレメントコア
２０  位置固定アーム
２１  中心の通流開口
２２  ハンドリングピン
２３  保持リブ
２４  （閉鎖弁６に設けられた）異形部
２５  凹部
２６  凸部
２７  流量調整器３，４，５に設けられた異形部
【図１】
0006542373.tif 000002
【図２】
0006542373.tif 000003
【図３】
0006542373.tif 000004
【図４】
0006542373.tif 000005
【図５】
0006542373.tif 000006